(57)【要約】      （修正有）【課題】ドアの内部で音そのものを吸収減衰させることによって、効果的な遮音効果を得るとともに、ドアを介して双方の室内の換気循環を効率よく行えるようにした。【解決手段】ドア枠体内部の上部、下部及び中間部に、上通気経路１４Ａ、下通気経路１４Ｂ及び中間遮蔽部７ａを形成し、上下通気経路１４Ａ，１４Ｂは、対応する上下框８，９に形成されて、その上下端面に開口し、ドア７内部に連通する上下通気口８ａ，９ａと、中間遮蔽部７ａの上下において表裏に対抗する一方及び他方の表面板１１Ａ，１１Ｂに開口形成された上下開口部１６，１７と、ドア内部において上下通気口８ａ，９ａと上下開口部１６，１７を連通させる上下通気経路部７ｂ，７ｃと、により形成し、上下通気経路部７ｂ，７ｃを構成する対向内壁面の少なくとも一方の面には、吸音性多孔材により形成された吸音材１２を上下通気経路１４Ａ，１４Ｂを形成する間隔をおいて設けた。【選択図】図２
2009209516.tif 000002
【特許請求の範囲】
【請求項１】
上下框、左右縦框により形成されたドア枠体の表裏に一方及び他方の表面板を取り付けたドアにおいて、
ドア枠体内部の上部、下部及び中間部に、上通気経路、下通気経路及び中間遮蔽部が形成され、
中間遮蔽部は、吸音若しくは遮音構造とされ、
上下通気経路は、対応する上下框に形成されて、その上下端面に開口し、ドア内部に連通する上下通気口と、中間遮蔽部の上下において表裏に対抗する一方及び他方の表面板に開口形成された上下開口部と、ドア内部において上下通気口と上下開口部を連通させる上下通気経路部と、により形成され、
上下通気経路部を構成する対向内壁面の少なくとも一方の面には、吸音性多孔材により形成された吸音材が上下通気経路を形成する間隔をおいて設けられていることを特徴とする通気遮音ドア。
【請求項２】
前記中間遮蔽部は、ドア枠体の上下幅１０に対し、上下幅５〜８とされ、前記上通気経路及び下通気経路は、ドア枠体の上下幅１０に対し、上下幅２．５〜１とされていることを特徴とする請求項１に記載の通気遮音ドア。
【請求項３】
前記中間遮蔽部は、ドア枠体の上下中間位置において、ドア枠体内部に設けられた上下横桟間に、吸音若しくは遮音性材料が充填された構造とされていることを特徴とする請求項１又は２に記載の通気遮音ドア。
【請求項４】
前記上下通気口は、前記上下框に形成されたスリット又は複数の孔により形成されていることを特徴とする請求項１乃至３のいずれか１項に記載の通気遮音ドア。
【請求項５】
前記上下開口部は、前記表裏になる一方及び他方の表面板の中間部分の上下に形成された幅方向に長い窓口により形成されると共に、ルーバーや金網等の通気性遮蔽材により覆われており、上開口部と下開口部とが、ドアの幅方向中間線に対し略上下対称位置における表裏の位置に形成されていることを特徴とする請求項１乃至４のいずれか１項に記載の通気遮音ドア。
【請求項６】
前記上下通気経路部を構成する対向内壁面には、遮音性シート材により形成された遮音材と吸音性多孔材により形成された吸音材が上下通気経路を形成する間隔をおいて対向して設けられており、前記遮音材は、ゴム、アスファルト等の粘弾性シート材料により形成され、前記吸音材は、フェルト、グラスウール、スポンジ等の断熱性の多孔質材料により形成されていることを特徴とする請求項１乃至５のいずれか１項に記載の通気遮音ドア。
【請求項７】
前記ドアを開閉可能に支持するドア枠の戸当り部には、ドア閉止状態でドア周縁に気密に接するパッキンを介在したことを特徴とする請求項１乃至６のいずれか１項記載の通気遮音ドア。
【請求項８】
前記ドアの下縁が床面と対向するドアにおいて、床面に対してドアの下縁を隙間を設けるとともに、ドアの下縁には床面に摺接するシール舌片を突設したことを特徴とする請求項１乃至７のいずれか１項記載の通気遮音ドア。
【発明の詳細な説明】
【技術分野】
【０００１】
本発明は、ドア内外の通気性を確保するとともに、遮音性も得られるようにした通気遮音ドアに関するものである。
【背景技術】
【０００２】
近年における戸建住宅においては、ホルムアルデヒドなどの有害物質によるシックハウス症候群などを防止する目的で、居室の換気性能を確保することが義務づけられ、その対応として、住宅では、居室で吸気し、非居室側で排気する方法が採用され、その具体的手法として、居室と非居室とを隔てる室内ドアを、換気経路としての機能持たせるために、ドアの下部にアンダーカット部を形成し、このアンダーカット部を通じて換気を行うようにしている。しかし、通気性を確保することにより、ドアのもう一つの機能である遮音性を犠牲にするものとなる。
【０００３】
このような欠点を解消するために、特許文献１には、ドアの表裏両面下部にそれぞれ開口を形成し、ドアの内側を各開口に通ずる連通路を形成した遮音ドアが開示されている。また、特許文献２には、これら開口をドアの上下中間部分に二組形成したものが開示されている。
【０００４】
いずれの構造においても、ドアの内部に形成される連通路を拡縮させた構造とすることにより、マフラー効果を生じさせ、連通路内を伝播する騒音や、振動を減衰させ、通気性とともに、遮音性も得られるようにしたものである。
【特許文献１】特許第３２９７９４４号公報
【特許文献２】特開２００６−５７３８５号公報。
【発明の開示】
【発明が解決しようとする課題】
【０００５】
しかし、特許文献１、２の構造ともに、通路内での音の共振現象による打消し合いを利用することによって、騒音・振動の減少効果を得るようにしたものであるため、ある波長（音高）では効果があるものの、他の波長では、思うような遮音効果を得られないなどの欠点があった。また、特に特許文献１，２の構造では、開口の位置に問題があり、主として室内の天井部及び中間部に形成される有害空気の排出が十分でなく、ドアを通じて換気循環を行うには不十分な構造となっていた。
【０００６】
本発明は以上の課題を解決するものであって、その目的とするところは、ドアの内部で音そのものを遮断させると共に吸収減衰させることによって、効果的な遮音効果を得るとともに、ドアを介して双方の室内の換気循環を効率よく行えるようにした通気遮音ドアを提供するものである。
【課題を解決するための手段】
【０００７】
前記目的を達成するため、本発明は、上下框８、９、左右縦框により形成されたドア枠体２０の表裏に一方及び他方の表面板１１Ａ，１１Ｂを取り付けたドア７において、
ドア枠体２０内部の上部、下部及び中間部に、上通気経路１４Ａ、下通気経路１４Ｂ及び中間遮蔽部７ａが形成され、
中間遮蔽部７ａは、吸音若しくは遮音構造とされ、
上下通気経路１４Ａ，１４Ｂは、対応する上下框８，９に形成されて、その上下端面に開口し、ドア７内部に連通する上下通気口８ａ，９ａと、中間遮蔽部７ａの上下において表裏に対抗する一方及び他方の表面板１１Ａ，１１Ｂに開口形成された上下開口部１６，１７と、ドア内部において上下通気口８ａ，９ａと上下開口部１６，１７を連通させる上下通気経路部７ｂ，７ｃと、により形成され、
上下通気経路部７ｂ，７ｃを構成する対向内壁面の少なくとも一方の面には、吸音性多孔材により形成された吸音材１２が上下通気経路１４Ａ，１４Ｂを形成する間隔をおいて設けられていることを特徴としている。
上下通気経路部７ｂ，７ｃを構成する対向内壁面に、遮音性シート材により形成された遮音材１３と吸音性多孔材により形成された吸音材１２とを上下通気経路１４Ａ，１４Ｂを形成する間隔をおいて対向して設けることができる。
【０００８】
前記中間遮蔽部７ａは、ドア枠体２０の上下幅１０に対し、上下幅５〜８とされ、前記上通気経路１４Ａ及び下通気経路１４Ｂは、ドア枠体２０の上下幅１０に対し、上下幅２．５〜１とされている。
【０００９】
前記中間遮蔽部７ａは、ドア枠体２０の上下中間位置において、ドア枠体２０内部に設けられた上下横桟１０、１０間に、吸音若しくは遮音性材料が充填された構造とされている。
【００１０】
前記上下通気口８ａ，９ａは、前記上下框８，９に形成されたスリット又は複数の孔により形成されている。
ア。
【００１１】
前記上下開口部１６、１７は、前記表裏になる一方及び他方の表面板１１Ａ，１１Ｂの中間部分の上下に形成された幅方向に長い窓口により形成されると共に、ルーバーや金網等の通気性遮蔽材１６ａ，１７ａにより覆われており、上開口部１６と下開口部１７とが、ドア７の幅方向中間線に対し略上下対称位置における表裏の位置に形成されている。
【００１２】
前記遮音材１３は、ゴム、アスファルト等の粘弾性シート材料により形成され、前記吸音材１２は、フェルト、グラスウール、スポンジ等の断熱性の多孔質材料により形成され、前記通気経路になる間隔をおいて層状に設けられている。
【００１３】
前記ドア７を開閉可能に支持するドア枠４の戸当り部４ａには、ドア閉止状態でドア周縁に気密に接するパッキン１８を介在させている。
【００１４】
前記ドア７の下縁が床面２と対向するドアにおいて、床面に対してドア７の下縁に隙間を設けるとともに、ドア７の下縁には床面２に摺接するシール舌片１９を突設している。
【００１５】
上記ドア７の構成において、図２に示すように、室Ｒ１側から外側（室Ｒ２）に排気される場合、室上部の空気が、ドア７上端面の隙間ｄから、上通気口８ａからドア７内の上部通気経路部７ｂを通り、ドア７の外面の排気窓口をなす上開口部１６から上通気経路１４Ａに沿って排気される。また、室中間部の空気が、ドア７の中間下部の吸気窓口をなす下開口部１７からドア７内の下部通気経路部７ｃ及び下通気口９ａを通り、ドア７下端面の隙間ｄから排気される。ドア７の上端部の外面は、戸当り部４ａのパッキン１８によって気密に遮断され、排気は、ドア７上端面の上通気口８ａに導入される。また、ドア７下端面の内側部分がシール舌片１９に床２面に接しているところから、排気は、ドア７下端面の下通気口９ａから室Ｒ１の外方に排出される。
室内外の騒音は、中間遮蔽部７ａ及び上下部通気経路部７ｂ，７ｃに形成される遮音材１３によって遮音されると共に、上下通気経路１４Ａ，１４Ｂに沿って進入する騒音は、吸音材１２によって吸音減衰される。
【発明の効果】
【００１６】
本発明によると、ドアの上下に、ドアによって区画される室内同士を流通させる通気経路が上下に形成されるため、ドアを介して室内間の換気を効率よく行えるとともに、その通気経路中において、騒音を遮断するとともに振動や音が減衰吸収されるため、十分な遮音効果も得ることができるほか、吸音材などによる断熱効果も得ることができる。
【００１７】
上記ドア上下の通気経路は、天井部分に沿った上通気経路と、室内の中間層に沿った下通気経路を形成し、室内の有害空気を速やかに漏れなく排出できる。
【００１８】
また、上記ドア上下の通気経路を構成する上下通気経路部の対向内壁面の少なくとも一方の面には、吸音性多孔材により形成された吸音材を上下通気経路を形成する間隔をおいて設けているので、騒音の波長レベルに係わらず遮音及び吸音でき、騒音の遮断効果が向上する。
また、上記ドア上下の通気経路を構成する上下通気経路部の対向内壁面に、遮音性シート材により形成された遮音材と吸音性多孔材により形成された吸音材とを、上下通気経路を形成する間隔をおいて対向して設けることにより、一層有効に遮音及び吸音でき、騒音の遮断効果が向上する。
【００１９】
本発明によると、ドアの中間部分に、通気経路の存在しない、吸音若しくは遮音構造になる中間遮蔽部を設けているので、ドア自体の共振現象による振動、騒音の伝播も防止できる。
【００２０】
本発明によると、ドア枠の戸当た部にパッキングを介在させており、ドア閉止状態でドアとドア枠との隙間が気密に塞がれ、この箇所からの音漏れを防止でき、排気を速やかに通気経路に誘導できる。
【００２１】
また、本発明によると、ドア下縁に床面に接摺するシール舌片を突設しているため、段差なしドアにおいても、ドアと床面との隙間が気密に塞がれることにより、この箇所からの音漏れも防止でき、下通気経路からの排気を外方に排出できる。
【発明を実施するための最良の形態】
【００２２】
図１は、本発明に係る通気遮音ドアの正面図、図２は図１のＡ−Ａ線における縦断面図である。
各図において、天井部１と床２間には、室Ｒ１，Ｒ２間を仕切る隔壁３が形成され、この隔壁３の一部は開口し、その開口内側に、下端を床２の床面と同一としたサッシ枠よりなるドア枠４を配置するとともに、このドア枠４の内側には一側端部を上下１対のヒンジ５を介して開閉可能に支持され、かつ開閉端に取付けられたドアノブ６によって開閉操作可能なドア７が取付けられており、ドア枠４のサッシの室Ｒ２側に形成された戸当り４ａにより、ドア７の閉止状態で閉止位置戸当りしている。
【００２３】
ドア７は木製であり、その外形を縁取る上框８、下框９および、図示しない両側の縦框と、これらによって構成される枠状空間の中間位置をさらに上下に仕切る上下１対の横桟１０とを備え、これら上下框８，９、横桟１０によって形成されるドア枠体２０の表裏に一方及び他方の表面板１１Ａ，１１Ｂを取り付けたものである。ドア７内は横桟１０により縦方向に３等分割され、この３等分割された中間部を、吸音材１２を全体に充填した中間遮蔽部７ａとし、上部は一方の表面板１１Ａの内面に吸音材１２を貼着し、他方の表面板１１Ｂの内面に遮音材１３を貼着し、かつその間に上通気経路１４Ａを形成した上部通気経路部７ｂとし、下部は、おなじく一方の表面板１１の内面に吸音材１２を貼着し、他方の表面板７の内面に遮音材１３を貼着し、かつその間に下通気経路１４Ｂを形成した下部通気経路部７ｃとしたものである。
上記上下通気経路１４Ａ，１４Ｂの一方の面又は双方の面に吸音材１２を貼着し、遮音材１３の貼着を省略させるようにしても良い。
【００２４】
上框８とドア枠４の上部下縁との間には、上部側アンダーカットとなる所要寸法ので上部側の隙間ｄが形成されているとともに、上框８には、その上下方向を貫通して上通気口８ａが形成され、隙間ｄから上通気経路１４Ａ内への空気の流通を可能としている。また、この上通気経路１４Ａは、部屋Ｒ２側の一方の表面板７における上部通気経路部７ｂの下部位置に形成された所要縦横比の横長状の上開口部１６に連通している。この上開口部１６は、ルーバ、金網網などの通気性遮蔽材１６ａで覆われている。
【００２５】
同様にして、下框９と床２の床面ＦＬとの間には、下部側アンダーカットとなる所要寸法の隙間ｄが開いているとともに、下框９には、その上下を貫通して下通気口９ａが形成され、この隙間ｄから下通気経路１４Ｂ内への空気の流通を可能としており、この下通気経路１４Ｂは、部屋Ｒ１側の他方の表面板１１Ｂにおける下部通気経路部７ｃの上部位置に形成された所要縦横比の横長状の下開口部１７に連通している。この下開口部１７は、上記上開口部１６と同様に、ルーバ、金網網などの通気性遮蔽材１７ａで覆われているほか、脱着式のフィルタなどが取付けられる。
【００２６】
さらに、ドア枠４の戸当り４ａと部屋Ｒ２側の一方の表面板１１Ａの周囲との間には、図３に拡大して示すように、ゴムなどの弾性体からなるパッキン１８が配置され、ドア閉止状態で、ドア７の上縁および両側周囲と、ドア枠４間の気密性を確保している。同じく図４に拡大して示すように、下框９の下縁の室Ｒ１側には、これと平行して弾性体からなるシール舌片１９が突設されており、これによってドア閉止状態でドア７の下縁と床２の間に摺接させて両者の隙間ｄを気密にシールしている。なお、このシール舌片１９は、ラッチ機構と連動させて上下動させ、ドアがラッチされた状態で下降し、床面ＦＬとの間を気密にシールさせるようにすることもできる。
【００２７】
前記吸音材１２は、フェルト、グラスウール、スポンジなどの断熱性の多孔質材料からなり、振動ないし音エネルギーを吸収して、熱エネルギーに変換する素材から構成されている。また、前記遮音材１３は、ゴム、アスファルトなどの粘弾性シート材からなり、振動ないし音エネルギーを減衰させる素材から構成されるものであり、上下通気経路１４Ａ，１４Ｂを空気が通過する際に音または振動エネルギーは吸音材１２および遮音材１３により吸収減衰されることにより、部屋Ｒ１，Ｒ２間の遮音性が保たれるようになっている。なお、当然ながらこれら材料はその厚みが増すほど、大きな遮音効果を得られるが、ドア７自体の厚みや上下通気経路１４Ａ，１４Ｂの確保などを念頭において設定されることは勿論である。
【００２８】
ここで、室Ｒ１を居室、寝室、子供部屋、トイレなどの個室空間とし、室Ｒ２を玄関、廊下、ＬＤ、階段の踊場などの共用スペースとすることにより、騒音の発生源は主として個室空間である室Ｒ１側となるが、いずれもドア７の周囲の気密性が保たれ、室Ｒ１側で発生した騒音はドア７内の上下通気経路１４Ａ，１４Ｂを通過することにより、これら騒音は上下通気経路１４Ａ，１４Ｂで減衰吸音され、かつドア７の周囲とドア枠４および床２の間はパッキン１８およびシール材１９により、気密状態に閉鎖されるため、室Ｒ１から室Ｒ２側に音漏れが生ずることを極力防止し、かつドア７を通じて通気性確保をおこなっている。また、同じく共用スペースである室Ｒ２から室Ｒ１側への音漏れも極力防止し、相互の音の伝播が防止できる。
【００２９】
なお、各図では、空気の流通方向を室Ｒ１側から、室Ｒ２側としているが、建物全体がほぼ均一な空調状態に保たれている場合においては、室Ｒ１，Ｒ２間での僅かな気圧差や、温度差などに応じて逆方向の流動もあることは勿論である。例えば、室Ｒ１がトイレであり、これを使用している場合には、その内部の空気は、換気扇などにより建物外部に排気されるので、当然室Ｒ１内は減圧される結果、空気の流動方向は図とは逆のＲ２→Ｒ１になる。
【００３０】
室Ｒ１が、他の個室空間の場合には、冬季において個室暖房がなされると、室Ｒ１内では暖房により上昇気流が生ずるので、上部通気経路部７ｂの空気の流動方向はＲ１→Ｒ２となり、下部通気経路部７ｃの空気の流動方向はＲ２→Ｒ１となり、これにより、室Ｒ１，Ｒ２間の空気循環がなされる。なお、空気の流量は、室Ｒ１，Ｒ２間に大きな気圧差生じてない限りにおいては、隙間ｄおよび上下開口部１６，１７の開口面積に応じて定り、かつ、ドア７の内側に設けられた吸音材１２、遮音材１３による断熱効果により、上昇した排熱を排気し、フレッシュな外気を取入れる程度であるため、許容範囲内に収る。
【００３１】
その逆に、夏期において個室冷房がなされると、冷房空気は一般にダウンドラフトにより室Ｒ１内で下降し、上昇気流は生じにくいため、上部側通気経路部７ｂにおける空気の流動方向はＲ２→Ｒ１となり、また、下部側通気経路部７ｃにおける空気の流動方向はＲ２→Ｒ１となり、これにより室Ｒ１，Ｒ２間の空気循環がなされることになる。
【００３２】
なお、実施形態では、上下開口部１６、１７を単に通気性遮蔽部材で覆っただけであるが、この位置に脱着式のフィルタを取付けるようにしても良い。
【図面の簡単な説明】
【００３３】
【図１】本発明に係る通気遮音ドアの正面図である。
【図２】図１のＡ−Ａ線における縦断面図である。
【図３】図２のＢ部拡大図である。
【図４】図２のＣ部拡大図である。
【符号の説明】
【００３４】
１  天井
２  床
３  隔壁
４  ドア枠
４ａ  戸当り部
５  ヒンジ
６  ノブ
７  ドア
７ａ  中間遮蔽部
７ｂ  上部通気経路部
７ｃ  下部通気経路部
８  上框
８ａ  上通気口
９  下框
９ａ  下通気口
１０  横桟
１１Ａ，１１Ｂ  一方及び他方の表面板
１２  吸音材
１３  遮音材
１４Ａ  上通気経路
１４Ｂ  下通気経路
１６  上開口部
１６  下開口部
１６ａ，１７ａ  通気性遮蔽部材
１８  パッキン
１９  シール舌片
２０  ドア枠体
【図１】
2009209516.tif 000003
【図２】
2009209516.tif 000004
【図３】
2009209516.tif 000005
【図４】
2009209516.tif 000006